(57)【特許請求の範囲】
【請求項１】
収容されている媒体を分離して搬送部に繰り出すとともに、前記搬送部から搬送されてくる媒体を収容する媒体収容部と、
前記搬送部に設けられ、媒体が正常であるか否かを鑑別する鑑別部と、
前記鑑別部により正常ではないと判定されたリジェクト媒体の総枚数と、前記鑑別部の判定により前記リジェクト媒体が連続して見つかったときの前記リジェクト媒体の連続枚数とを計数するリジェクト媒体計数部と、
前記鑑別部により正常ではなく取引対象外であると判定された、前記リジェクト媒体の一種である対象外媒体の枚数を計数する対象外媒体計数部と、
前記リジェクト媒体計数部により計数されたリジェクト媒体の総枚数が当該総枚数の上限値として設定されているリジェクト総限度枚数に達した場合、前記リジェクト媒体計数部により計数されたリジェクト媒体の連続枚数が当該連続枚数の上限値として設定されているリジェクト連続限度枚数に達した場合、又は前記対象外媒体計数部により計数された枚数が当該枚数の上限値として設定されている対象外限度枚数に達した場合に、前記媒体収容部に収容されている媒体の分離及び繰り出しを中止させる制御部と
を有し、
前記対象外限度枚数は、
前記リジェクト総限度枚数及び前記リジェクト連続限度枚数より小さい値に設定されている
ことを特徴とする自動取引装置。
【請求項２】
前記リジェクト総限度枚数と前記リジェクト連続限度枚数と前記対象外限度枚数とを、それぞれ入力された数値で更新する更新部をさらに有し、
前記更新部は、
前記対象外限度枚数として入力された数値が、前記リジェクト総限度枚数として入力された数値及び前記リジェクト連続限度枚数として入力された数値より小さい場合に限り、前記対象外限度枚数と前記リジェクト総限度枚数と前記リジェクト連続限度枚数を更新する
ことを特徴とする請求項１に記載の自動取引装置。
【請求項３】
前記対象外媒体計数部は、
前記鑑別部の判定により前記対象外媒体が連続して見つかったときの前記対象外媒体の連続枚数を計数し、
前記制御部は、
前記リジェクト媒体計数部により計数されたリジェクト媒体の総枚数が前記リジェクト総限度枚数に達した場合、前記リジェクト媒体計数部により計数されたリジェクト媒体の連続枚数が前記リジェクト連続限度枚数に達した場合、又は前記対象外媒体計数部により計数された対象外媒体の連続枚数が当該連続枚数の上限値として設定されている対象外連続限度枚数に達した場合に、前記媒体収容部に収容されている媒体の分離及び繰り出しを中止させ、
前記対象外連続限度枚数は、
前記リジェクト総限度枚数及び前記リジェクト連続限度枚数より小さい値に設定されている
ことを特徴とする請求項１又は２に記載の自動取引装置。
【請求項４】
前記対象外媒体計数部は、
前記対象外媒体の総枚数及び連続枚数を計数し、
前記制御部は、
前記リジェクト媒体計数部により計数されたリジェクト媒体の総枚数が前記リジェクト総限度枚数に達した場合、前記リジェクト媒体計数部により計数されたリジェクト媒体の連続枚数が前記リジェクト連続限度枚数に達した場合、前記対象外媒体計数部により計数された対象外媒体の総枚数が当該総枚数の上限値として設定されている対象外総限度枚数に達した場合、又は前記対象外媒体計数部により計数された対象外媒体の連続枚数が前記対象外連続限度枚数に達した場合に、前記媒体収容部に収容されている媒体の分離及び繰り出しを中止させ、
前記対象外総限度枚数は、
前記リジェクト総限度枚数及び前記リジェクト連続限度枚数より小さい値に設定されている
ことを特徴とする請求項３に記載の自動取引装置。
【請求項５】
前記鑑別部により正常ではなく真偽異常と判定された、前記リジェクト媒体の一種である真偽リジェクト媒体の枚数を計数する真偽リジェクト媒体計数部をさらに有し、
前記制御部は、
前記リジェクト媒体計数部により計数されたリジェクト媒体の総枚数が前記リジェクト総限度枚数に達した場合、前記リジェクト媒体計数部により計数されたリジェクト媒体の連続枚数が前記リジェクト連続限度枚数に達した場合、前記対象外媒体計数部により計数された枚数が前記対象外限度枚数に達した場合、又は前記真偽リジェクト媒体計数部により計数された枚数が当該枚数の上限値として設定されている真偽リジェクト限度枚数に達した場合に、前記媒体収容部に収容されている媒体の分離及び繰り出しを中止させ、
前記真偽リジェクト限度枚数は、
前記リジェクト総限度枚数及び前記リジェクト連続限度枚数より小さい値に設定されている
ことを特徴とする請求項１又は２に記載の自動取引装置。
【請求項６】
前記鑑別部により正常ではなく走行異常と判定された、前記リジェクト媒体の一種である走行リジェクト媒体の枚数を計数する走行リジェクト媒体計数部をさらに有し、
前記制御部は、
前記リジェクト媒体計数部により計数されたリジェクト媒体の総枚数が前記リジェクト総限度枚数に達した場合、前記リジェクト媒体計数部により計数されたリジェクト媒体の連続枚数が前記リジェクト連続限度枚数に達した場合、前記対象外媒体計数部により計数された枚数が前記対象外限度枚数に達した場合、又は前記走行リジェクト媒体計数部により計数された枚数が当該枚数の上限値として設定されている走行リジェクト限度枚数に達した場合に、前記媒体収容部に収容されている媒体の繰り出しを中止させ、
前記走行リジェクト限度枚数は、
前記リジェクト総限度枚数及び前記リジェクト連続限度枚数より小さい値に設定されている
ことを特徴とする請求項１又は２に記載の自動取引装置。
【請求項７】
前記鑑別部により正常ではなく正損異常と判定された、前記リジェクト媒体の一種である正損リジェクト媒体の枚数を計数する正損リジェクト媒体計数部をさらに有し、
前記制御部は、
前記リジェクト媒体計数部により計数されたリジェクト媒体の総枚数が前記リジェクト総限度枚数に達した場合、前記リジェクト媒体計数部により計数されたリジェクト媒体の連続枚数が前記リジェクト連続限度枚数に達した場合、前記対象外媒体計数部により計数された枚数が前記対象外限度枚数に達した場合、又は前記正損リジェクト媒体計数部により計数された枚数が当該枚数の上限値として設定されている正損リジェクト限度枚数に達した場合に、前記媒体収容部に収容されている媒体の繰り出しを中止させ、
前記正損リジェクト限度枚数は、
前記リジェクト総限度枚数及び前記リジェクト連続限度枚数より小さい値に設定されている
ことを特徴とする請求項１又は２に記載の自動取引装置。
【請求項８】
収容されている媒体を分離して搬送部に繰り出すとともに、前記搬送部から搬送されてくる媒体を収容する媒体収容部と、
前記搬送部に設けられ、媒体が正常であるか否かを鑑別する鑑別部と、
前記鑑別部により正常ではないと判定されたリジェクト媒体の枚数を計数するリジェクト媒体計数部と、
前記鑑別部により正常ではなく取引対象外であると判定された、前記リジェクト媒体の一種である対象外媒体の枚数を計数する対象外媒体計数部と、
前記リジェクト媒体計数部により計数された枚数が当該枚数の上限値として設定されているリジェクト限度枚数に達した場合、又は前記対象外媒体計数部により計数された枚数が当該枚数の上限値として設定されている対象外限度枚数に達した場合に、前記媒体収容部に収容されている媒体の分離及び繰り出しを中止させ、前記対象外媒体を含めた前記リジェクト媒体と、当該リジェクト媒体の後続の媒体で既に前記搬送部に繰り出されている媒体とを、当該搬送部に一時的に保留させた後、前記媒体収容部に戻す制御部と
を有し、
前記対象外限度枚数は、
前記リジェクト限度枚数より小さい値に設定されている
ことを特徴とする自動取引装置。
【請求項９】
前記制御部は、
前記搬送部から前記媒体収容部に戻した前記リジェクト媒体及び当該リジェクト媒体の後続の媒体で既に前記搬送部に繰り出されていた媒体と、前記媒体収容部に残っている媒体とを、当該媒体収容部を介して利用者に返却する
ことを特徴とする請求項８に記載の自動取引装置。
【請求項１０】
前記制御部は、
前記搬送部から前記媒体収容部に戻した前記リジェクト媒体及び当該リジェクト媒体の後続の媒体で既に前記搬送部に繰り出されていた媒体と、前記媒体収容部に残っている媒体とを、当該媒体収容部を介して利用者に返却するとともに、返却理由を示すガイダンス画面を所定の表示部に表示させる
ことを特徴とする請求項９に記載の自動取引装置。
【請求項１１】
さらに、前記鑑別部により正常であると判定された正常媒体を収容する一時保留部を有し、
前記制御部は、
前記対象外媒体を含めた前記リジェクト媒体と、当該リジェクト媒体の後続の媒体で既に前記搬送部に繰り出されている媒体の搬送速度を落としていき、前記リジェクト媒体が所定の位置に到達したときに、前記搬送部を停止させることによって前記リジェクト媒体と当該リジェクト媒体の後続の媒体で既に前記搬送部に繰り出されている媒体とを、当該搬送部に一時的に保留させ、その後、前記リジェクト媒体の後続の媒体で既に前記搬送部に繰り出されている媒体のうち、搬送速度を落とした時点で、既に前記鑑別部による鑑別が終了していて且つ正常と判定された正常媒体については前記一時保留部に搬送する
ことを特徴とする請求項８〜１０のいずれかに記載の自動取引装置。
【請求項１２】
収容されている媒体を分離して搬送部に繰り出すとともに、前記搬送部から搬送されてくる媒体を収容する媒体収容部と、
前記搬送部に設けられ、媒体が正常であるか否かを鑑別する鑑別部と、
前記鑑別部により正常ではないと判定されたリジェクト媒体の枚数を計数するリジェクト媒体計数部と、
前記鑑別部により正常ではなく取引対象外であると判定された、前記リジェクト媒体の一種である対象外媒体の総枚数と、前記鑑別部の判定により前記対象外媒体が連続して見つかったときの前記対象外媒体の連続枚数とを計数する対象外媒体計数部と、
前記リジェクト媒体計数部により計数された枚数が当該枚数の上限値として設定されているリジェクト限度枚数に達した場合、前記対象外媒体計数部により計数された対象外媒体の総枚数が当該総枚数の上限値として設定されている対象外総限度枚数に達した場合、又は前記対象外媒体計数部により計数された対象外媒体の連続枚数が当該連続枚数の上限値として設定されている対象外連続限度枚数に達した場合に、前記媒体収容部に収容されている媒体の分離及び繰り出しを中止させる制御部と
を有し、
前記対象外総限度枚数及び前記対象外連続限度枚数は、
前記リジェクト限度枚数より小さい値に設定されている
ことを特徴とする自動取引装置。
【発明の詳細な説明】
【技術分野】
【０００１】
本発明は、自動取引装置に関するものであり、例えば利用者との間で紙幣等の媒体を介して所望の取引を行う現金自動預払機（ＡＴＭ：Automatic  Teller  Machine）に適用して好適なものである。
【背景技術】
【０００２】
現金自動預払機は、例えば、利用者との間で紙幣の授受を行う入出金部と、紙幣の金種、真偽などを鑑別する鑑別部と、紙幣を一時的に保留する一時保留部と、紙幣を金種ごとに収納する紙幣収納庫と、紙幣を各部へと搬送する搬送部とを有している。また、このような現金自動預払機として、入金時に鑑別部により異常と判定された紙幣（これを入金リジェクト紙幣と呼ぶ）を集積する為のリジェクト集積部を持たず、入出金部がリジェクト集積部の機能を兼ねているものがある（例えば特許文献１参照）。
【０００３】
このような現金自動預払機の場合、入金取引時に、入出金部により１枚ずつ分離されて鑑別部へと搬送された紙幣のうち、鑑別部により異常と判定された入金リジェクト紙幣については入出金部へ戻すことになるが、このとき、入出金部を入金リジェクト紙幣を集積可能な状態に切り替える準備（これをリジェクト紙幣集積準備と呼ぶ）が必要となる。
【０００４】
そこで、現金自動預払機では、このリジェクト紙幣集積準備が完了するまでの間、入出金部による紙幣の分離、及び搬送部による紙幣の搬送を停止させ、鑑別部から入出金部までの搬送部に入金リジェクト紙幣を一時的に保留する。つまり、鑑別部から入出金部までの搬送部を入金リジェクト紙幣を一時的に保留する一時保留部として機能させる。その後、入出金部のリジェクト紙幣集積準備が完了すると、現金自動預払機は、搬送部上に保留している入金リジェクト紙幣の搬送を再開して入金リジェクト紙幣を入出金部へ戻し、入出金部による紙幣の分離を再度実行する（すなわちリトライする）ようになっていた。
【先行技術文献】
【特許文献】
【０００５】
【特許文献１】特開２００７−２４１７６２号公報
【発明の概要】
【発明が解決しようとする課題】
【０００６】
このような現金自動預払機は、様々な国に設置されているが、流通している紙幣の種類（すなわち券種）が、現金自動預払機で取り扱うことのできる券種より多い国も存在する。例えば、インドネシアでは、７金種・１２券種の紙幣が流通しているが、インドネシアに設置されている現金自動預払機で取り扱うことのできる券種は例えば７券種であり、残り５券種の紙幣は取引対象外となっている。
【０００７】
従来の現金自動預払機では、このような取引対象外の紙幣（これを対象外紙幣と呼ぶ）が入出金部に投入されると、この紙幣を鑑別部により入金リジェクト紙幣と判定して入出金部へ戻し、紙幣の分離をリトライするようになっていた。
【０００８】
また、従来の現金自動預払機では、入金リジェクト紙幣を入出金部へ戻して紙幣の分離をリトライする一連の動作（これをリトライ動作と呼ぶ）を延々と繰り返さないようにする為、鑑別部により判定された入金リジェクト紙幣の枚数が、上限枚数として設定されている入金リジェクト限度枚数に達すると、リトライ動作を終了させて、入出金部に戻した入金リジェクト紙幣を顧客に返却するようになっていた。
【０００９】
現金自動預払機では、この入金リジェクト限度枚数を任意の値に設定できるようになっているが、通常、入出金部に投入される紙幣の多くは正常な紙幣であり、このような正常な紙幣をできるだけ多く入金できるようにする為、例えば数十枚程度の大きな値に設定される。
【００１０】
一方で、このように入金リジェクト限度枚数が大きな値に設定されていると、例えば入出金部に対象外紙幣ばかりが投入された際に、鑑別部により判定された入金リジェクト紙幣の枚数が入金リジェクト限度枚数に達するまでに時間がかかり、結果として、投入された対象外紙幣は入金できず、且つ返却されるまでに多くの時間を要してしまう。この場合、顧客にとっては、入金できていないうえに対象外紙幣が返却されるまで待たされることになる。
【００１１】
このように、従来の現金自動預払機では、入出金部に対象外紙幣ばかりが投入された場合などに、顧客を無駄に長く待たせてしまうという問題を有していた。
【００１２】
本発明は以上の点を考慮したもので、待ち時間を極力短縮できるようにした自動取引装置を提案しようとするものである。
【課題を解決するための手段】
【００１３】
かかる課題を解決するため本発明の自動取引装置においては、収容されている媒体を分離して搬送部に繰り出すとともに、前記搬送部から搬送されてくる媒体を収容する媒体収容部と、前記搬送部に設けられ、媒体が正常であるか否かを鑑別する鑑別部と、前記鑑別部により正常ではないと判定されたリジェクト媒体の総枚数と、前記鑑別部の判定により前記リジェクト媒体が連続して見つかったときの前記リジェクト媒体の連続枚数とを計数するリジェクト媒体計数部と、前記鑑別部により正常ではなく取引対象外であると判定された、前記リジェクト媒体の一種である対象外媒体の枚数を計数する対象外媒体計数部と、前記リジェクト媒体計数部により計数されたリジェクト媒体の総枚数が当該総枚数の上限値として設定されているリジェクト総限度枚数に達した場合、前記リジェクト媒体計数部により計数されたリジェクト媒体の連続枚数が当該連続枚数の上限値として設定されているリジェクト連続限度枚数に達した場合、又は前記対象外媒体計数部により計数された枚数が当該枚数の上限値として設定されている対象外限度枚数に達した場合に、前記媒体収容部に収容されている媒体の分離及び繰り出しを中止させる制御部とを有し、前記対象外限度枚数は、前記リジェクト総限度枚数及び前記リジェクト連続限度枚数より小さい値に設定される。また本発明の自動取引装置においては、収容されている媒体を分離して搬送部に繰り出すとともに、前記搬送部から搬送されてくる媒体を収容する媒体収容部と、前記搬送部に設けられ、媒体が正常であるか否かを鑑別する鑑別部と、前記鑑別部により正常ではないと判定されたリジェクト媒体の枚数を計数するリジェクト媒体計数部と、前記鑑別部により正常ではなく取引対象外であると判定された、前記リジェクト媒体の一種である対象外媒体の枚数を計数する対象外媒体計数部と、前記リジェクト媒体計数部により計数された枚数が当該枚数の上限値として設定されているリジェクト限度枚数に達した場合、又は前記対象外媒体計数部により計数された枚数が当該枚数の上限値として設定されている対象外限度枚数に達した場合に、前記媒体収容部に収容されている媒体の分離及び繰り出しを中止させ、前記対象外媒体を含めた前記リジェクト媒体と、当該リジェクト媒体の後続の媒体で既に前記搬送部に繰り出されている媒体とを、当該搬送部に一時的に保留させた後、前記媒体収容部に戻す制御部とを有し、前記対象外限度枚数は、前記リジェクト限度枚数より小さい値に設定される。さらに本発明の自動取引装置においては、収容されている媒体を分離して搬送部に繰り出すとともに、前記搬送部から搬送されてくる媒体を収容する媒体収容部と、前記搬送部に設けられ、媒体が正常であるか否かを鑑別する鑑別部と、前記鑑別部により正常ではないと判定されたリジェクト媒体の枚数を計数するリジェクト媒体計数部と、前記鑑別部により正常ではなく取引対象外であると判定された、前記リジェクト媒体の一種である対象外媒体の総枚数と、前記鑑別部の判定により前記対象外媒体が連続して見つかったときの前記対象外媒体の連続枚数とを計数する対象外媒体計数部と、前記リジェクト媒体計数部により計数された枚数が当該枚数の上限値として設定されているリジェクト限度枚数に達した場合、前記対象外媒体計数部により計数された対象外媒体の総枚数が当該総枚数の上限値として設定されている対象外総限度枚数に達した場合、又は前記対象外媒体計数部により計数された対象外媒体の連続枚数が当該連続枚数の上限値として設定されている対象外連続限度枚数に達した場合に、前記媒体収容部に収容されている媒体の分離及び繰り出しを中止させる制御部とを有し、前記対象外総限度枚数及び前記対象外連続限度枚数は、前記リジェクト限度枚数より小さい値に設定される。
【００１４】
こうすることで、例えば、媒体収容部に対象外媒体ばかりが収容されている場合には、鑑別部により判定されたリジェクト紙幣の枚数がリジェクト限度枚数に達するより早く、鑑別部により判定された対象外紙幣の枚数が対象外限度枚数に達する為、従来のようにリジェクト限度枚数のみを用いた場合と比べて、媒体の繰り出しを停止させるまでの時間を短縮することができる。
【発明の効果】
【００１５】
本発明は、待ち時間を極力短縮できるようにした自動取引装置を実現できる。
【図面の簡単な説明】
【００１６】
【図１】現金自動預払機の構成を示す外観斜視図である。
【図２】紙幣入出金ユニットの内部構成を示す図である。
【図３】第１の実施の形態における入金取引時の動作手順を示すフローチャートである。
【図４】図３のフローチャートにつづくフローチャートである。
【図５】入金リジェクト連続枚数と入金リジェクト総枚数のカウント例を示す表である。
【図６】対象外連続枚数のカウント例を示す表である。
【図７】確認画面の構成を示す図である。
【図８】入金リジェクト連続枚数の上限と入金リジェクト総枚数の上限が設定されている場合のカウント例を示す表である。
【図９】入金リジェクト連続枚数の上限と入金リジェクト総枚数の上限にくわえて、対象外連続枚数の上限が設定されている場合のカウント例を示す表である。
【図１０】限度枚数の設定手順を示すフローチャートである。
【図１１】限度枚数設定画面の構成を示す図である。
【図１２】第２の実施の形態における入金取引時の動作手順を示すフローチャートである。
【図１３】入金リジェクト連続枚数の上限と入金リジェクト総枚数の上限にくわえて、対象外連続枚数の上限が設定されている場合のカウント例を示す表である。
【図１４】入金リジェクト連続枚数の上限と入金リジェクト総枚数の上限と対象外連続枚数の上限にくわえて、対象外総枚数の上限が設定されている場合のカウント例を示す表である。
【図１５】第３の実施の形態における入金取引時の動作手順を示すフローチャートである。
【図１６】図１５のフローチャートにつづくフローチャートである。
【図１７】真偽リジェクト紙幣が見つかったときに表示されるガイダンス画面の構成を示す図である。
【図１８】走行リジェクト紙幣が見つかったときに表示されるガイダンス画面の構成を示す図である。
【図１９】正損リジェクト紙幣が見つかったときに表示されるガイダンス画面の構成を示す図である。
【図２０】対象外紙幣が見つかったときに表示されるガイダンス画面の構成を示す図である。
【図２１】他の入金リジェクト紙幣が見つかったときに表示されるガイダンス画面の構成を示す図である。
【発明を実施するための形態】
【００１７】
以下、発明を実施するための形態について、図面を用いて詳細に説明する。
【００１８】
［１．第１の実施の形態］
［１−１．現金自動預払機の構成］
まず第１の実施の形態について説明する。図１に外観を示すように、現金自動預払機１は、例えば金融機関等に設置され、顧客との間で入金取引や出金取引等の現金に関する取引を行うものである。
【００１９】
この現金自動預払機１は、箱状の筐体２を中心に構成されており、この筐体２の前面（顧客に対向する面）上部には、接客部３が設けられている。接客部３は、カード入出口４、入出金口５、操作表示部６、テンキー７及びレシート発行口８からなり、顧客との間で現金や通帳等を直接やり取りすると共に、取引に関する情報の通知や操作指示の受付を行う部分である。
【００２０】
カード入出口４は、キャッシュカード等の各種カードが挿入又は排出される部分であり、このカード入出口４の奥側には、各種カードに磁気記録された口座番号等の読み取りを行うカード処理部（図示せず）が設けられている。
【００２１】
入出金口５は、顧客が入金する紙幣が投入されると共に、顧客へ出金する紙幣が排出される部分であり、シャッタを駆動することにより開放又は閉塞するようになっている。操作表示部６は、取引に際して操作画面を表示するＬＣＤ（Liquid Crystal Display）と、取引の種類の選択、暗証番号や取引金額等を入力するタッチパネルとが一体化されたものである。
【００２２】
テンキー７は、暗証番号や取引金額等の入力操作時に用いられる。レシート発行口８は、取引処理の終了時に取引内容等を印字したレシートを発行する部分であり、このレシート発行口８の奥側には、レシートに取引内容等を印字するレシート処理部（図示せず）が設けられている。また、図１では省略しているが、接客部３に、取引に関する情報を音声で通知する為のスピーカが含まれていてもよい。
【００２３】
さらに、現金自動預払機１の内部には、現金自動預払機１全体を統括制御する主制御部９、取引情報などを記憶する記憶部１０、及び紙幣の入出金に関する種々の処理を行う紙幣入出金ユニット１１が設けられている。主制御部９は、図示しないＣＰＵ（Central Processing Unit）を中心に構成されており、記憶部１０は、ハードディスクドライブやフラッシュメモリ等で構成されている。
【００２４】
また、紙幣入出金ユニット１１には、ユニット制御部１２が設けられている。ユニット制御部１２は、図示しないＣＰＵを中心に構成されており、主制御部９を介して記憶部１０から所定のプログラムを読み出して実行することにより、紙幣入出金ユニット１１の各部を制御して入金取引や出金取引等の種々の処理を行う。
【００２５】
さらに、図２に示すように紙幣入出金ユニット１１内の上部には、入出金口５を有する入出金部２０と、紙幣の金種や真偽を鑑別する鑑別部２１と、入金された紙幣等を一時的に保留する一時保留部２２と、鑑別部２１による鑑別の結果、特殊紙幣と判定された紙幣（例えば偽券など）を収納する特殊紙幣収納部２３とが設けられている。入出金部２０の入出金口５には、図示しないシャッタが設けられていて、このシャッタが開閉することで、入出金口５を開放及び閉塞するようになっている。
【００２６】
また、紙幣入出金ユニット１１内の下部には、紙幣を金種別に集積する複数の紙幣収納庫２４（２４Ａ〜２４Ｅ）と、鑑別部２１による鑑別の結果、特殊紙幣と判定された紙幣を収納する特殊紙幣収納部２５が設けられている。
【００２７】
さらに、これら入出金部２０、鑑別部２１、一時保留部２２、複数の紙幣収納庫２４（２４Ａ〜２４Ｅ）、特殊紙幣収納部２３、２５は、搬送部２６を介して接続されている。搬送部２６は、図示しないローラやベルトなどで構成され、図中太線で示す搬送路２６Ｒに沿って長方形の紙幣を短辺方向に搬送するようになっている。また、搬送路２６Ｒの分岐点には図示しないセレクタが設けられ、このセレクタが、ユニット制御部１２の制御に基づいて回動することで、紙幣の搬送先を切り替えることができるようになっている。さらに、搬送路２６Ｒの各所には、搬送路２６Ｒを通過する紙幣を検出する為の紙幣検知センサ２７（２７ａ〜２７ｓ）が設けられている。
【００２８】
さらに、紙幣入出金ユニット１１内の上部には、一時保留部２２へ紙幣を収納する為、及び一時保留部２２に収納された紙幣を分離して繰り出す為のモータ２８（２８Ａ〜２８Ｃ）が設けられている。
【００２９】
入出金部２０は、入出金口５から投入された紙幣を分離して搬送部２６へと繰り出す機能と、鑑別部２１の鑑別により入金に適さない入金リジェクト紙幣と判定された紙幣を集積する機能を兼ねている。鑑別部２１は、内部を通る紙幣の金種、真偽、正損状態及び走行状態などを鑑別するとともに、内部を通る紙幣が対象外紙幣であるかどうかを鑑別し、その鑑別結果をユニット制御部１２へ通知する。一時保留部２２は、入金時に顧客が入出金部２０へ投入した紙幣のうち、鑑別部２１によって入金可能と鑑別された正常紙幣を入金が確定するまで一時的に保留する。また一時保留部２２は、出金時に鑑別部２１によって出金不可能と鑑別された出金リジェクト紙幣を、出金可能な紙幣が出金されるまで一時的に保留する。
【００３０】
紙幣収納庫２４（２４Ａ〜２４Ｅ）は、例えば金種ごとに設けられ、収納排出機構により、搬送部２６によって搬送されてきた紙幣を取り込んで収納すると共に、収納されている紙幣を排出して搬送部２６へ供給するようになっている。
【００３１】
現金自動預払機１は、このような構成でなり、鑑別部２１による紙幣の鑑別結果などをもとに主制御部９及びユニット制御部１２が各部を制御して、紙幣の入金取引及び出金取引を行うようになっている。
【００３２】
例えば、入金取引時、現金自動預払機１は、顧客により操作表示部６を介して入金取引が選択されると入出金口５のシャッタを開き、入出金口５から紙幣が投入されるとシャッタを閉じ、投入された紙幣を入出金部２０で１枚ずつ分離して鑑別部２１に搬送する。さらに現金自動預払機１は、鑑別部２１によって入金可能な正常紙幣と判定された紙幣を一時保留部２２に搬送して一時的に収納する。一方で、入金に適さない入金リジェクト紙幣と判定された紙幣については入出金部２０へと戻すことになるが、このとき、入出金部２０のビルプレス（図示せず）を移動させて入金リジェクト紙幣を集積可能な状態に切り替えるリジェクト紙幣集積準備が必要となる。
【００３３】
そこで、現金自動預払機１では、このリジェクト紙幣集積準備が完了するまでの間、入出金部２０による紙幣の分離繰り出し、及び搬送部２６による紙幣の搬送を停止させ、鑑別部２１から入出金部２０までの搬送部２６に入金リジェクト紙幣を一時的に保留する（すなわち停止させる）。つまり、このとき現金自動預払機１は、鑑別部２１から入出金部２０までの搬送部２６を入金リジェクト紙幣を一時的に保留する一時保留部として機能させる。
【００３４】
具体的に、現金自動預払機１は、入金リジェクト紙幣が入出金部２０に近づくと、搬送速度を落としていき、入金リジェクト紙幣が入出金部２０の手前に到達した時点で、搬送部２６を完全に停止させる。このとき、入金リジェクト紙幣につづく２枚の紙幣も既に入出金部２０により分離されている為、これら２枚の紙幣も搬送部２６に保留される。つまり、搬送部２６には、先頭の入金リジェクト紙幣を含めて、計３枚の紙幣が一時的に保留される。
【００３５】
その後、現金自動預払機１は、入出金部２０のリジェクト紙幣集積準備が完了すると、搬送部２６による紙幣の搬送を再開することで、入金リジェクト紙幣を入出金部２０へと戻す。また、このとき、現金自動預払機１は、入金リジェクト紙幣とともに保留していた２枚の紙幣についても、鑑別部２１の判定に関わらず、入出金部２０へと戻す。
【００３６】
このように、現金自動預払機１では、鑑別部２１によって紙幣が入金リジェクト紙幣と判定されると、この入金リジェクト紙幣と、これにつづく２枚の紙幣の計３枚の紙幣を入出金部２０へと戻して、入出金部２０による紙幣の分離繰り出しを再度実行する（すなわちリトライする）。尚、現金自動預払機１では、入金リジェクト紙幣を停止させる直前に、後続の２枚の紙幣が、通常の搬送速度より遅い搬送速度で鑑別部２１を通過する状況が想定され、この場合、これら２枚の紙幣（特に３枚目の紙幣）が正常に鑑別されない可能性がある為、入金リジェクト紙幣だけでなく、後続の２枚の紙幣も入出金部２０へ戻すようになっている。
【００３７】
このようなリトライ動作を行った結果、入出金部２０に投入された紙幣が、全て正常紙幣と判定された場合（つまり入金リジェクト紙幣がなくなった場合）、現金自動預払機１は、正常紙幣の合計金額（つまり入金金額）を操作表示部６に表示させて、顧客により入金金額が確定されると、一時保留部２２に収納している紙幣を、鑑別部２１へと搬送して金種を特定し、その金種に対応する紙幣収納庫２４（２４Ａ〜２４Ｅ）へと搬送して収納する。
【００３８】
また一方で、リトライ動作を繰り返し行っても、入金リジェクト紙幣がなくならない場合、現金自動預払機１は、入金リジェクト紙幣を入出金部２０に戻して、シャッタを開き、入金リジェクト紙幣を顧客に返却する。その後、現金自動預払機１は、入金リジェクト紙幣以外の正常紙幣の合計金額を操作表示部６に表示させて、顧客により入金金額が確定されると、一時保留部２２に収納している紙幣を、鑑別部２１へと搬送して金種を特定し、その金種に対応する紙幣収納庫２４（２４Ａ〜２４Ｅ）へと搬送して収納する。現金自動預払機１による入金取引時の動作は、このようになっている。
【００３９】
また、現金自動預払機１では、入金リジェクト紙幣を入出金部２０へ戻して紙幣の分離繰り出しをリトライする一連のリトライ動作を延々と繰り返さないようにする為、入金リジェクト紙幣の上限枚数として、入金リジェクト総限度枚数と入金リジェクト連続限度枚数が設定されている。さらに、現金自動預払機１では、これら入金リジェクト総限度枚数と入金リジェクト連続限度枚数とは別に、対象外紙幣の上限枚数として、対象外連続限度枚数が設定されている。これら３種の上限枚数は、設定情報として、例えば、記憶部１０に記憶されている。これら３種の上限枚数について詳しくは後述する。
【００４０】
［１−２．入金取引時の動作］
次に、現金自動預払機１による入金取引時の動作手順について、図３、図４に示すフローチャートを用いて詳しく説明する。尚、この動作は、ユニット制御部１２が主体となって行う動作である。尚、図中では、リジェクトをＲＪと省略している。
【００４１】
ユニット制御部１２は、入金取引を開始すると、ステップＳＰ１において、入出金部２０のシャッタを開く。つづくステップＳＰ２において、ユニット制御部１２は、入出金部２０へ紙幣が投入されるのを待つ紙幣投入待ち状態となる。つづくステップＳＰ３及びＳＰ４において、ユニット制御部１２は、紙幣投入待ち状態となってから、設定されている投入タイムアウト時間経過するまでの間に、紙幣が正常に投入されたかどうかを判定する。ここで、紙幣が正常に投入されずに投入タイムアウト時間経過した場合、ユニット制御部１２は、ステップＳＰ３で否定結果を得つづけて、ステップＳＰ４で肯定結果を得ることにより、ステップＳＰ５に移り、シャッタを閉じて、入金取引を終了する。
【００４２】
これに対して、投入タイムアウト時間経過するまでに、紙幣が正常に投入された場合、ユニット制御部１２は、ステップＳＰ３で肯定結果を得て、ステップＳＰ６に移り、シャッタを閉じる。
【００４３】
ステップＳＰ６につづくステップＳＰ７においてユニット制御部１２は、入出金部２０に投入された紙幣を１枚分離して繰り出し鑑別部２１で鑑別する。ここで、ユニット制御部１２は、分離した１枚の紙幣が鑑別部２１によって正常紙幣であると判定されると、正常紙幣を一時保留部２２へと搬送して、ステップＳＰ１４（図４）へと移る。
【００４４】
これに対して、分離した１枚の紙幣が鑑別部２１によって入金リジェクト紙幣であると判定されると、ユニット制御部１２は、ステップＳＰ８へと移る。尚、鑑別部２１で判定される入金リジェクト紙幣としては、偽札であることにより真偽が異常と判定された真偽リジェクト紙幣、スキュー又は重送などにより走行状態が異常と判定された走行リジェクト紙幣、汚れなどにより正損状態が異常と判定された正損リジェクト紙幣、取引対象外と判定された対象外紙幣がある。
【００４５】
よって、ユニット制御部１２は、分離した１枚の紙幣が、真偽リジェクト紙幣、走行リジェクト紙幣、正損リジェクト紙幣、対象外紙幣のうちのいずれかの入金リジェクト紙幣であると判定された場合に、ステップＳＰ８へと移るようになっている。
【００４６】
ステップＳＰ８においてユニット制御部１２は、入金リジェクト連続枚数と入金リジェクト総枚数をカウントする。また入金リジェクト紙幣が、対象外紙幣である場合には、対象外連続枚数もカウントする。
【００４７】
入金リジェクト総枚数は、入金取引を開始してから、鑑別部２１で入金リジェクト紙幣と判定された紙幣の総数であり、初期値は０とする。ユニット制御部１２は、紙幣が鑑別部２１によって入金リジェクト紙幣であると判定されるごとに、この入金リジェクト総枚数をカウント（＋１）する。尚、上述したように、入金リジェクト紙幣につづく２枚の紙幣については、正常に鑑別できない場合がある為、図５に例を示すように、カウントするのは、入出金部２０へ戻す３枚の紙幣のうち、先頭の入金リジェクト紙幣についてのみとする。
【００４８】
入金リジェクト連続枚数は、入金取引を開始してから、連続して紙幣が入金リジェクト紙幣と判定されたときの連続数であり、初期値は０とする。ユニット制御部１２は、紙幣が鑑別部２１によって入金リジェクト紙幣であると連続して判定されるごとに、この入金リジェクト連続枚数をカウントする。尚、入金リジェクト紙幣につづく２枚の紙幣については正確に鑑別できていない可能性がある為、カウントの対象とせず、これら２枚の紙幣につづく紙幣がカウントの対象となる。つまり、図５に示すように、例えば、１枚目の紙幣が入金リジェクト紙幣と判定されて、１枚目の入金リジェクト紙幣と後続の２枚目と３枚目の紙幣が入出金部２０へと戻された後、つづく４枚目の紙幣が入金リジェクト紙幣と判定された場合に、入金リジェクト紙幣が連続するとして、入金リジェクト連続枚数がカウントされる。
【００４９】
また、入金リジェクト連続枚数は、入金取引を開始してから、最初に紙幣が入金リジェクト紙幣と判定されたときに１となり、その後、紙幣が入金リジェクト紙幣と連続して判定された場合にのみ、カウントされるようになっている。つまり、入金リジェクト連続枚数は、最初に見つかった入金リジェクト紙幣の後、連続して入金リジェクト紙幣が見つかった場合の連続数を示している。よって、最初に見つかった入金リジェクト紙幣からつづく連続判定が途切れてしまった時点（例えば図５の７枚目が正常紙幣と判定された時点）で、入金リジェクト連続枚数は確定となり、以降、入金リジェクト紙幣が何回連続しても、入金リジェクト連続枚数はカウントされないようになっている。
【００５０】
対象外連続枚数は、入金取引を開始してから、連続して紙幣が対象外紙幣と判定されたときの連続枚数であり、初期値は０とする。ユニット制御部１２は、紙幣が鑑別部２１によって対象外紙幣であると連続して判定されるごとに、この入金リジェクト連続枚数をカウントする。尚、この場合も、図６に示すように、入金リジェクト紙幣としての対象外紙幣につづく２枚の紙幣についてはカウントの対象とせず、これら２枚の紙幣につづく紙幣がカウントの対象となる。
【００５１】
また、この対象外連続枚数も、入金リジェクト連続枚数と同様、入金取引を開始してから、最初に紙幣が対象外紙幣と判定されたときに１となり、その後、紙幣が対象外紙幣と連続して判定されるごとに、カウントされるようになっている。つまり、対象外連続枚数は、最初に見つかった対象外紙幣の後、連続して対象外紙幣が見つかった場合の連続数を示している。
【００５２】
ユニット制御部１２は、これら入金リジェクト総枚数、入金リジェクト連続枚数、及び対象外連続枚数をカウントすると、次のステップＳＰ９に移る。ステップＳＰ９において、ユニット制御部１２は、対象外連続枚数が、対象外連続枚数の上限として設定されている対象外連続限度枚数に達したかどうかを判定する。ここで、対象外連続枚数が、対象外連続限度枚数に達していないと判定すると、ユニット制御部１２は、ステップＳＰ１０に移る。
【００５３】
ステップＳＰ１０において、ユニット制御部１２は、入金リジェクト連続枚数が、入金リジェクト連続枚数の上限として設定されている入金リジェクト連続限度枚数に達したかどうかを判定する。ここで、入金リジェクト連続枚数が入金リジェクト連続限度枚数に達していないと判定すると、ユニット制御部１２は、ステップＳＰ１１に移る。
【００５４】
ステップＳＰ１１において、ユニット制御部１２は、入金リジェクト総枚数が、入金リジェクト総枚数の上限として設定されている入金リジェクト総限度枚数に達したかどうかを判定する。尚、入金リジェクト総限度枚数は、入金リジェクト連続限度枚数以上の値に設定され、対象外連続限度枚数は、入金リジェクト連続限度枚数及び入金リジェクト総限度枚数より小さい値に設定されている。ここで、入金リジェクト総枚数が入金リジェクト総限度枚数に達していないと判定すると、ユニット制御部１２は、ステップＳＰ１３に移る。
【００５５】
これに対して、上述のステップＳＰ９において、対象外連続枚数が対象外連続限度枚数に達していると判定すると、ユニット制御部１２は、ステップＳＰ１２に移る。ステップＳＰ１２において、ユニット制御部１２は、リトライ動作の設定をリトライ動作を行う「リトライ有」からリトライ動作を行わない「リトライ無」に変更して、ステップＳＰ１３に移る。
【００５６】
また、同様に、上述のステップＳＰ１０で入金リジェクト連続枚数が入金リジェクト連続限度枚数に達していると判定した場合と、ステップＳＰ１１で入金リジェクト総枚数が入金リジェクト総限度枚数に達した場合も、ユニット制御部１２は、ステップＳＰ１２でリトライ動作の設定を「リトライ有」から「リトライ無」に変更して、ステップＳＰ１３に移る。ステップＳＰ１３において、ユニット制御部１２は、見つかった入金リジェクト紙幣と、つづく２枚の紙幣を、入出金部２０へと戻して、次のステップＳＰ１４に移る。
【００５７】
このように、現金自動預払機１では、対象外連続枚数、入金リジェクト連続枚数、入金リジェクト総枚数の何れかが上限枚数に達した場合、これ以降、無駄にリトライ動作を繰り返さないよう、リトライ動作の設定を「リトライ無」に変更して、リトライ動作を終了するようになっている。
【００５８】
ステップＳＰ１４において、ユニット制御部１２は、入出金部２０に投入された紙幣の全ての分離が終了したかどうかを判定する。ここで、入出金部２０に投入された紙幣の全てが正常紙幣として一時保留部２２に保留されている場合、ユニット制御部１２は、入出金部２０に投入された紙幣の全ての分離が終了したと判定して、ステップＳＰ１６に移る。
【００５９】
これに対して、例えば、まだ１度も分離していない紙幣や、上述のステップＳＰ１３で入出金部２０に戻された入金リジェクト紙幣が入出金部２０に残っている場合、ユニット制御部１２は、まだ入出金部２０に投入された紙幣の全ての分離が終了していないと判定して、ステップＳＰ１５に移る。
【００６０】
ステップＳＰ１５において、ユニット制御部１２は、リトライ動作の設定が「リトライ有」になっているかどうかを判定する。ここで、リトライ動作の設定が「リトライ有」になっていれば、このことは、対象外連続枚数、入金リジェクト連続枚数、入金リジェクト総枚数の何れも上限枚数に達していないことを意味する。この場合、ユニット制御部１２は、ステップＳＰ７へと戻り、入出金部２０に集積されている紙幣の分離、鑑別を継続する。
【００６１】
これに対して、対象外連続枚数、入金リジェクト連続枚数、入金リジェクト総枚数の何れかが上限枚数に達したことにより、リトライ動作の設定が「リトライ無」になっている場合、ユニット制御部１２は、ステップＳＰ１５で「リトライ有」となっていないと判定し、入出金部２０に残っている紙幣の分離繰り出しを中止して、ステップＳＰ１６に移る。
【００６２】
ステップＳＰ１６において、ユニット制御部１２は、入出金部２０に紙幣が残っているかどうかを判定する。ここで、対象外連続枚数、入金リジェクト連続枚数、入金リジェクト総枚数のうちの少なくとも１つが上限枚数に達したことにより、入出金部２０に紙幣が残っている状態で紙幣の分離を中止している場合、ユニット制御部１２は、ステップＳＰ１６で、入出金部２０に紙幣が残っていると判定して、ステップＳＰ１７に移る。この場合、入出金部２０には、少なくとも１枚以上の入金リジェクト紙幣が残っていることになる。
【００６３】
ステップＳＰ１７において、ユニット制御部１２は、入出金部２０のシャッタを開く。つづくステップＳＰ１８において、ユニット制御部１２は、入出金部２０から紙幣が抜き取られるのを待ち受ける。入出金部２０から紙幣が抜き取られると、つづくステップＳＰ１９において、ユニット制御部１２は、シャッタを閉じて、ステップＳＰ２０に移る。
【００６４】
これに対して、入出金部２０に投入された紙幣の全てが正常紙幣として一時保留部２２へと搬送され、入出金部２０に紙幣が残っていない場合、ユニット制御部１２は、ステップＳＰ１６で入出金部２０に紙幣が残っていないと判定する。この場合、ユニット制御部１２は、ステップＳＰ１７〜ＳＰ１９の処理を飛ばして、ステップＳＰ２０に移る。
【００６５】
ステップＳＰ２０において、ユニット制御部１２は、操作表示部６に、図７に示す確認画面３０を表示させる。確認画面３０には、正常紙幣と判定された紙幣（すなわち一時保留部２２に収納されている紙幣）の合計金額が表示され、さらに、表示されている合計金額を入金金額として確定する為の確認ボタン３１と、紙幣を追加投入する為の追加ボタン３２と、入金を取り消す為の取消ボタン３３とが配置されている。
【００６６】
ここで、顧客により確認画面３０の追加ボタン３２が押されると、ユニット制御部１２は、ステップＳＰ１へと戻り、入出金部２０のシャッタを開ける。また、顧客により確認ボタン３１が押されると、ユニット制御部１２は、ステップＳＰ２１に移り、一時保留部２２に収納されている紙幣を分離し、紙幣収納庫２４（２４Ａ〜２４Ｅ）へと搬送して収納した後、入金取引を終了する。
【００６７】
さらに、顧客により取消ボタン３３が押されると、ユニット制御部１２は、ステップＳＰ２２に移り、一時保留部２２に収納している紙幣を分離し、入出金部２０へ戻す。つづくステップＳＰ２３において、ユニット制御部１２は、入出金部２０のシャッタを開き、つづくステップＳＰ２４において、入出金部２０から紙幣が抜き取られるのを待ち受ける。そして、入出金部２０から紙幣が抜き取られると、つづくステップＳＰ２５において、ユニット制御部１２は、シャッタを閉じて、入金取引を終了する。尚、一時保留部２２に１枚も紙幣が収納されていなければ、取消ボタン３３が押下されたら、ステップＳＰ２２〜ＳＰ２５の処理を飛ばして、入金取引を終了する。
【００６８】
現金自動預払機１の入金取引時の動作は、このようになっていて、対象外連続枚数、入金リジェクト連続枚数、入金リジェクト総枚数の何れかが上限枚数に達した場合、リトライ動作を終了して、入金リジェクト紙幣を入出金部２０へ戻し、入金リジェクト紙幣を含めた入出金部２０に残っている紙幣を、顧客に返却するようになっている。
【００６９】
ところで、上述したように、現金自動預払機１では、入金リジェクト連続限度枚数及び入金リジェクト総限度枚数にくわえて、対象外連続枚数の上限値として対象外連続限度枚数が設定されている。さらに、現金自動預払機１では、対象外連続限度枚数が、入金リジェクト連続限度枚数及び入金リジェクト総限度枚数より少ない値に設定されている。具体的には、入金リジェクト連続限度枚数と入金リジェクト総限度枚数が共に２０枚、対象外連続限度枚数が５枚に設定されている。因みに、入出金部２０に1度に投入できる紙幣は、例えば２００枚である。
【００７０】
ここで、現金自動預払機１に、入金リジェクト連続限度枚数及び入金リジェクト総限度枚数のみが設定されている場合と、入金リジェクト連続限度枚数及び入金リジェクト総限度枚数にくわえて対象外連続限度枚数が設定されている場合とで、入出金部２０に投入された紙幣の分離を開始してから、リトライ動作が中止されて入金リジェクト紙幣（対象外紙幣）が返却されるまでの時間がどのように変わるのかについて、図８、図９を用いて説明する。
【００７１】
ここでは、入出金部２０により分離された紙幣の１枚目、４枚目、７枚目、１０枚目、…の紙幣が入金リジェクト紙幣と判定され（つまり１枚目から３枚ごとに入金リジェクト紙幣が見つかり）、且つ４枚目、７枚目、１０枚目、１３枚目、１６枚目の紙幣が、５回連続して対象外紙幣と判定された場合を例に説明する。
【００７２】
まず、図８を用いて、入金リジェクト連続限度枚数（２０枚）及び入金リジェクト総限度枚数（２０枚）のみが設定されている場合について説明する。この場合、１枚目の紙幣が対象外紙幣以外の入金リジェクト紙幣と判定された時点で、入金リジェクト連続枚数と入金リジェクト総枚数がともに１となる。つづく２枚目と３枚目の紙幣は、１枚目の入金リジェクト紙幣とともに入出金部２０に戻される紙幣である為、入金リジェクト連続枚数及び入金リジェクト総枚数のカウント対象とはならない。その後、４枚目の紙幣が対象外紙幣と判定された時点で、入金リジェクト連続枚数と入金リジェクト総枚数がともに２となる。
【００７３】
その後も、紙幣が対象外紙幣以外の入金リジェクト紙幣と判定された時点と、対象外紙幣と判定された時点で、入金リジェクト連続枚数と入金リジェクト総枚数がカウントされていく。そして、最終的に、５８枚目の紙幣が対象外紙幣と判定された時点で、入金リジェクト連続枚数と入金リジェクト総枚数がともに２０となり、それぞれが入金リジェクト連続限度枚数及び入金リジェクト総限度枚数に達する。
【００７４】
この時点で、現金自動預払機１では、リトライ動作を中止して、入金リジェクト紙幣を入出金部２０に戻して顧客に返却することになる。
【００７５】
次に、図９を用いて、入金リジェクト連続限度枚数及び入金リジェクト総限度枚数にくわえて対象外連続限度枚数が設定されている場合について説明する。この場合、１枚目の紙幣が対象外紙幣以外の入金リジェクト紙幣と判定された時点で、入金リジェクト連続枚数と入金リジェクト総枚数がともに１となる。つづく２枚目と３枚目の紙幣は、１枚目の入金リジェクト紙幣とともに入出金部２０に戻される紙幣である為、入金リジェクト連続枚数、入金リジェクト総枚数及び対象外連続枚数のカウント対象とはならない。その後、４枚目の紙幣が対象外紙幣と判定された時点で、入金リジェクト連続枚数と入金リジェクト総枚数がともに２となり、且つ対象外連続枚数が１となる。
【００７６】
その後、７枚目、１０枚目、１３枚目の紙幣が対象外紙幣と判定されることで、入金リジェクト連続枚数及び入金リジェクト総枚数と、対象外連続枚数がカウントされていく。そして、１６枚目の紙幣が対象外紙幣と判定された時点で、対象外連続枚数が５となり、対象外連続限度枚数に達する。因みに、このときの入金リジェクト連続枚数と入金リジェクト総枚数はともに６である。
【００７７】
この時点で、現金自動預払機１では、リトライ動作を中止して、対象外紙幣を入出金部２０に戻して、顧客に返却することになる。
【００７８】
このように、入金リジェクト連続限度枚数及び入金リジェクト総限度枚数のみが設定されている場合には、５８枚目の紙幣を鑑別した時点で、リトライ動作を中止して入金リジェクト紙幣などを顧客に返却する一方で、入金リジェクト連続限度枚数及び入金リジェクト総限度枚数にくわえてこれらより少ない対象外連続限度枚数が設定されている場合、１６枚目の紙幣を鑑別した時点で、リトライ動作を中止して入金リジェクト紙幣などを顧客に返却することになる。
【００７９】
すなわち、現金自動預払機１では、入金リジェクト連続限度枚数及び入金リジェクト総限度枚数にくわえてこれらより少ない対象外連続限度枚数が設定されていることで、入出金部２０に対象外紙幣ばかりが投入された際などに、この対象外紙幣を顧客に返却するまでの待ち時間を、入金リジェクト連続限度枚数及び入金リジェクト総限度枚数のみが設定されている場合と比べて、大幅に短縮することができるようになっている。
【００８０】
［１−３．限度枚数の設定］
次に、入金リジェクト連続限度枚数、入金リジェクト総限度枚数、及び対象外連続限度枚数の設定手順について、図１０に示すフローチャートを用いて詳しく説明する。
【００８１】
ステップＳＰ３０において、ユニット制御部１２は、操作表示部６を介して限度枚数の設定画面（これを限度枚数設定画面と呼ぶ）を表示する為の操作が行われると、図１１に示す限度枚数設定画面４０を表示させる。
【００８２】
限度枚数設定画面４０は、入金リジェクト連続限度枚数の数値を入力する入力欄４１と、入金リジェクト総限度枚数の入力欄４２と、対象外連続限度枚数の入力欄４３と、設定を更新する為の更新ボタン４４と、設定を取り消す為の取消ボタン４５とで構成されている。尚、各入力欄４１〜４３には、例えば、初期設定値として、それぞれ２０、２０、５が入力されている。
【００８３】
つづくステップＳＰ３１においてユニット制御部１２は、更新ボタン４４又は取消ボタン４５が押下されるのを待ち受け、更新ボタン４４又は取消ボタン４５が押下されると、ステップＳＰ３２に移る。
【００８４】
ステップＳＰ３２においてユニット制御部１２は、更新ボタン４４が押下されたかどうかを判定する。更新ボタン４４ではなく取消ボタン４５が押下されたと判定した場合、ユニット制御部１２は、ステップＳＰ３３に移り、各限度枚数を更新しない旨のメッセージを操作表示部６に表示させて、各限度枚数の設定を終了する。
【００８５】
これに対して、更新ボタン４４が押下されたと判定した場合、ユニット制御部１２は、ステップＳＰ３２からステップＳＰ３４に移り、入力欄４１、４２に入力された入金リジェクト連続限度枚数及び入金リジェクト総限度枚数よりも、入力欄４３に入力された対象外連続限度枚数が少ない値となっているかどうかを判定する。
【００８６】
ここで、入金リジェクト連続限度枚数及び入金リジェクト総限度枚数よりも対象外連続限度枚数が少ない値となっていないと判定した場合、ユニット制御部１２は、ステップＳＰ３５へ移り、対象外連続限度枚数について入金リジェクト連続限度枚数及び入金リジェクト総限度枚数よりも少ない値を入力するよう促すメッセージを操作表示部６に表示させて、ステップＳＰ３１に戻る。
【００８７】
これに対して、入金リジェクト連続限度枚数及び入金リジェクト総限度枚数よりも対象外連続限度枚数が少ない値となっていると判定した場合、ユニット制御部１２は、ステップＳＰ３４からステップＳＰ３６へ移り、各入力欄４１〜４３に入力された数値で、入金リジェクト連続限度枚数、入金リジェクト総限度枚数、及び対象外連続限度枚数として設定されている数値を更新するとともに、更新を行った旨のメッセージを操作表示部６に表示させて、各限度枚数の設定を終了する。
【００８８】
現金自動預払機１では、このような手順で各限度枚数の設定を行うようになっていて、対象外連続限度枚数については、入金リジェクト連続限度枚数及び入金リジェクト総限度枚数よりも少ない値にしか設定できないようになっている。
【００８９】
［１−４．まとめと効果］
ここまで説明したように、現金自動預払機１では、入金リジェクト連続限度枚数及び入金リジェクト総限度枚数にくわえて、対象外連続枚数の上限値として対象外連続限度枚数を設定するようにした。さらに、この対象外連続限度枚数を、入金リジェクト連続限度枚数及び入金リジェクト総限度枚数より少ない値に設定するようにした。
【００９０】
こうすることで、現金自動預払機１では、入出金部２０に対象外紙幣ばかりが投入された際に、この対象外紙幣を顧客に返却するまでの時間を、入金リジェクト連続限度枚数及び入金リジェクト総限度枚数のみが設定されている場合と比べて、大幅に短縮することができ、かくして、入金できない対象外紙幣が返却されるのを待ち続けるような、無駄な待ち時間を極力短縮することができる。
【００９１】
また、現金自動預払機１は、限度枚数設定画面４０を介して、入金リジェクト連続限度枚数、入金リジェクト総限度枚数及び対象外連続限度枚数の値を変更できるようになっているが、対象外連続限度枚数については、必ず、入金リジェクト連続限度枚数及び入金リジェクト総限度枚数より小さい値でないと、更新を許可しないようにした。これは、対象外連続限度枚数を、入金リジェクト連続限度枚数及び入金リジェクト総限度枚数以上に設定してしまうと、対象外紙幣を顧客に返却するまでの時間を短縮することができない為である。
【００９２】
換言すれば、現金自動預払機１では、対象外紙幣を顧客に返却するまでの時間を短縮できる範囲で、入金リジェクト連続限度枚数、入金リジェクト総限度枚数及び対象外連続限度枚数の値を変更できるようになっている。
【００９３】
［２．第２の実施の形態］
次に、第２の実施の形態について説明する。この第２の実施の形態は、対象外連続限度枚数とは別に、対象外紙幣と判定された紙幣の総枚数（対象リジェクト総枚数）の上限値として対象外総限度枚数を設定する点が、第１の実施の形態とは異なっている。この対象外総限度枚数も、設定情報として、例えば、記憶部１０に記憶されている。現金自動預払機１の構成などについては、第１の実施の形態と同様である為、詳しい説明については第１の実施の形態を参照とする。よって、ここでは、主に入金取引時の動作について説明する。
【００９４】
［２−１．入金取引時の動作］
入金取引時の動作手順について、図１２に示すフローチャートを用いて詳しく説明する。尚、この動作も、ユニット制御部１２が主体となって行う動作である。尚、図１２に示す動作手順は、図３、図４に示した第１の実施の形態の動作手順のステップＳＰ８の代わりにステップＳＰ１００が設けられている点と、ステップＳＰ９とステップＳＰ１０の間に新たなステップＳＰ１０１が追加されている点以外は、第１の実施の形態の動作手順と同じである。よって、ここでは、主にステップＳＰ１００とステップＳＰ１０１について説明する。尚、図１２では、ステップＳＰ１〜ＳＰ６の処理と、ステップＳＰ１４以降の処理については、図３、図４と同一の為、簡略化している。
【００９５】
ステップＳＰ１〜ＳＰ６の処理で、入出金部２０に紙幣が投入され、ステップＳＰ７で入出金部２０により分離された紙幣が、入金リジェクト紙幣であると判定されると、ユニット制御部１２は、ステップＳＰ１００に移る。ステップＳＰ１００において、ユニット制御部１２は、入金リジェクト連続枚数と入金リジェクト総枚数をカウントする。また入金リジェクト紙幣が、対象外紙幣である場合には、対象外連続枚数にくわえて、対象外総枚数もカウントする。
【００９６】
対象外総枚数は、入金取引を開始してから、鑑別部２１で対象外紙幣と判定された紙幣の総枚数であり、初期値は０とする。ユニット制御部１２は、紙幣が鑑別部２１によって対象外紙幣であると判定されるごとに、この対象外総枚数をカウント（＋１）する。尚、第１の実施の形態で説明したように、対象外紙幣につづく２枚の紙幣については、正常に鑑別できない場合がある為、カウントするのは、入出金部２０へ戻す３枚の紙幣のうち、先頭の対象外紙幣についてのみとする。
【００９７】
ユニット制御部１２は、これら入金リジェクト連続枚数、入金リジェクト総枚数、対象外連続枚数にくわえて、対象外総枚数をカウントすると、次のステップＳＰ９に移る。ステップＳＰ９において、ユニット制御部１２は、対象外連続枚数が、対象外連続限度枚数に達したかどうかを判定する。ここで、対象外連続枚数が、対象外連続限度枚数に達していないと判定すると、ユニット制御部１２は、ステップＳＰ１０１に移る。
【００９８】
ステップＳＰ１０１においてユニット制御部１２は、対象外総枚数が、対象外総枚数の上限として設定されている対象外総限度枚数に達したかどうかを判定する。尚、対象外総限度枚数は、入金リジェクト連続限度枚数及び入金リジェクト総限度枚数より小さい値に設定され、且つ対象外連続限度枚数以上に設定されている。ここで、対象外総枚数が対象外総限度枚数に達していないと判定すると、ユニット制御部１２は、ステップＳＰ１０に移る。
【００９９】
そして、ユニット制御部１２は、ステップＳＰ１０で入金リジェクト連続枚数が入金リジェクト連続限度枚数に達したかどうかを判定し、達していないと判定するとステップＳＰ１１に移り、ステップＳＰ１１で入金リジェクト総枚数が入金リジェクト総限度枚数に達したかどうかを判定し、達していないと判定すると、ステップＳＰ１３に移る。
【０１００】
これに対して、上述のステップＳＰ９で対象外連続枚数が対象外連続限度枚数に達していると判定した場合と、ステップＳＰ１０で入金リジェクト連続枚数が入金リジェクト連続限度枚数に達していると判定した場合と、ステップＳＰ１１で入金リジェクト総枚数が入金リジェクト総限度枚数に達した場合、ユニット制御部１２は、ステップＳＰ１２に移る。ステップＳＰ１２においてユニット制御部１２は、リトライ動作の設定をリトライ動作を行う「リトライ有」からリトライ動作を行わない「リトライ無」に変更して、ステップＳＰ１３に移る。
【０１０１】
また、上述のステップＳＰ１０１で対象外総枚数が対象外総限度枚数に達していると判定した場合も、ユニット制御部１２は、ステップＳＰ１２に移り、リトライ動作の設定をリトライ動作を行う「リトライ有」からリトライ動作を行わない「リトライ無」に変更して、ステップＳＰ１３に移る。
【０１０２】
ステップＳＰ１３においてユニット制御部１２は、見つかった入金リジェクト紙幣と、つづく２枚の紙幣を、入出金部２０へと戻して、ステップＳＰ１４に移る。ステップＳＰ１４以降の処理は、第１の実施の形態の動作手順と同様のため、説明を省略する。
【０１０３】
第２の実施の形態での入金取引時の動作は、このようになっていて、対象外連続枚数、入金リジェクト連続枚数、及び入金リジェクト総枚数にくわえて、対象外総枚数をカウントし、これらの何れかが上限枚数に達した場合、これ以降、無駄にリトライ動作を繰り返さないよう、リトライ動作の設定を「リトライ無」に変更して、リトライ動作を終了するようになっている。
【０１０４】
ところで、上述したように、第２の実施の形態では、入金リジェクト連続限度枚数、入金リジェクト総限度枚数及び対象外連続限度枚数にくわえて、対象外総枚数の上限値として対象外総限度枚数が設定されている。さらに、現金自動預払機１では、対象外連続限度枚数及び対象外総限度枚数が、入金リジェクト連続限度枚数及び入金リジェクト総限度枚数より少ない値に設定されている。具体的には、例えば、入金リジェクト連続限度枚数と入金リジェクト総限度枚数が共に２０枚、対象外連続限度枚数と対象外総限度枚数がともに５枚に設定されている。
【０１０５】
ここで、現金自動預払機１に、入金リジェクト連続限度枚数、入金リジェクト総限度枚数及び対象外連続限度枚数のみが設定されている場合と、これらにくわえて対象外総限度枚数が設定されている場合とで、入出金部２０に投入された紙幣の分離を開始してから、リトライ動作が中止されて入金リジェクト紙幣（対象外紙幣）が返却されるまでの時間がどのように変わるのかについて、図１３、図１４を用いて説明する。
【０１０６】
ここでは、入出金部２０により分離された紙幣の１枚目、４枚目、１０枚目、１３枚目、１９枚目、２２枚目、…の紙幣が入金リジェクト紙幣と判定され（つまり１枚目と４枚目で２回連続入金リジェクト紙幣が見つかり、その後、入金リジェクト紙幣の連続が一旦途切れて、再び、１０枚目、１３枚目で２回連続入金リジェクト紙幣が見つかり）、且つ４枚目、１３枚目、２２枚目、…の紙幣（つまり２回連続で入金リジェクト紙幣が見つかったときの２回目の紙幣）が、対象外紙幣と判定された場合を例に説明する。
【０１０７】
まず、図１３を用いて、入金リジェクト連続限度枚数、入金リジェクト総限度枚数及び対象外連続限度枚数のみが設定されている場合について説明する。この場合、１枚目の紙幣が対象外紙幣以外の入金リジェクト紙幣と判定された時点で、入金リジェクト連続枚数と入金リジェクト総枚数がともに１となる。つづく２枚目と３枚目の紙幣は、１枚目の入金リジェクト紙幣とともに入出金部２０に戻される紙幣である為、入金リジェクト連続枚数及び入金リジェクト総枚数のカウント対象とはならない。その後、４枚目の紙幣が対象外紙幣と判定された時点で、入金リジェクト連続枚数と入金リジェクト総枚数がともに２となり、且つ対象外連続枚数が１となる。
【０１０８】
その後、７枚目の紙幣が正常紙幣と判定されると、入金リジェクト紙幣及び対象外紙幣の連続判定が途切れることになり、入金リジェクト連続枚数と対象外連続枚数がそれぞれ２と１で確定する。その後は、紙幣が対象外紙幣以外の入金リジェクト紙幣と判定された時点と、対象外紙幣と判定された時点で、入金リジェクト総枚数のみがカウントされていく。そして、最終的に、８５枚目の紙幣が対象外紙幣と判定された時点で、入金リジェクト総枚数が２０となり、入金リジェクト総限度枚数に達する。
【０１０９】
この時点で、現金自動預払機１では、リトライ動作を中止して、対象外紙幣を入出金部２０に戻して顧客に返却することになる。
【０１１０】
次に、図１４を用いて、入金リジェクト連続限度枚数、入金リジェクト総限度枚数及び対象外連続限度枚数にくわえて対象外総限度枚数が設定されている場合について説明する。この場合、１枚目の紙幣が対象外紙幣以外の入金リジェクト紙幣と判定された時点で、入金リジェクト連続枚数と入金リジェクト総枚数がともに１となる。つづく２枚目と３枚目の紙幣は、入金リジェクト連続枚数、入金リジェクト総枚数、対象外連続枚数及び対象外総枚数のカウント対象とはならない。その後、４枚目の紙幣が対象外紙幣と判定された時点で、入金リジェクト連続枚数と入金リジェクト総枚数がともに２となり、且つ対象外連続枚数と対象外総枚数がともに１となる。
【０１１１】
その後、７枚目の紙幣が正常紙幣と判定されると、入金リジェクト紙幣及び対象外紙幣の連続判定が途切れることになり、入金リジェクト連続枚数と対象外連続枚数がそれぞれ２と１で確定する。その後は、紙幣が対象外紙幣以外の入金リジェクト紙幣と判定された時点と、対象外紙幣と判定された時点で、入金リジェクト総枚数がカウントされ、さらに、紙幣が対象外紙幣と判定された時点で、対象外総枚数がカウントされていく。そして、４０枚目の紙幣が対象外紙幣と判定された時点で、対象外総枚数が５となり、対象外総限度枚数に達する。因みに、このときの入金リジェクト総枚数は１０である。
【０１１２】
この時点で、現金自動預払機１では、リトライ動作を中止して、対象外紙幣を入出金部２０に戻して顧客に返却することになる。
【０１１３】
このように、入金リジェクト連続限度枚数、入金リジェクト総限度枚数及び対象外連続限度枚数が設定されている場合には、８５枚目の紙幣を鑑別した時点で、リトライ動作を中止して入金リジェクト紙幣などを顧客に返却する一方で、入金リジェクト連続限度枚数及び入金リジェクト総限度枚数より少ない対象外総限度枚数が追加で設定されている場合、４０枚目の紙幣を鑑別した時点で、リトライ動作を中止して入金リジェクト紙幣などを顧客に返却することになる。
【０１１４】
すなわち、現金自動預払機１では、入金リジェクト連続限度枚数及び入金リジェクト総限度枚数より少ない対象外総限度枚数が追加で設定されていることで、入出金部２０に対象外紙幣と対象紙幣が混在して投入された際などに、対象外紙幣を顧客に返却するまでの待ち時間を、第１の実施の形態と比べて大幅に短縮できるようになっている。
【０１１５】
また、第２の実施の形態の現金自動預払機１でも、入金リジェクト連続限度枚数、入金リジェクト総限度枚数、対象外連続限度枚数及び対象外総限度枚数を図示しない設定画面上で設定できるようになっている。設定手順については省略するが、対象外総限度枚数についても、対象外連続限度枚数と同様、入金リジェクト連続限度枚数及び入金リジェクト総限度枚数よりも少ない値にしか設定できないようになっている。
【０１１６】
［２−２．まとめと効果］
ここまで説明したように、第２の実施の形態の現金自動預払機１では、入金リジェクト連続限度枚数、入金リジェクト総限度枚数及び対象外連続限度枚数にくわえて、対象外総枚数の上限値として対象外総限度枚数を設定するようにした。さらに、この対象外総限度枚数を、入金リジェクト連続限度枚数及び入金リジェクト総限度枚数より少ない値に設定するようにした。
【０１１７】
こうすることで、現金自動預払機１では、入出金部２０に対象外紙幣ばかりではなく、対象外紙幣と対象外紙幣の間に対象紙幣が混在するようにして紙幣が投入された際などに、この対象外紙幣を顧客に返却するまでの時間を、入金リジェクト連続限度枚数、入金リジェクト総限度枚数及び対象外連続限度枚数が設定されている場合と比べて、大幅に短縮することができ、かくして、入金できない対象外紙幣が返却されるのを待ち続けるような、無駄な待ち時間を極力短縮することができる。
【０１１８】
また、第２の実施の形態の現金自動預払機１でも、設定画面（図示せず）を介して、入金リジェクト連続限度枚数、入金リジェクト総限度枚数、対象外連続限度枚数及び対象外総限度枚数の値を変更できるようになっているが、対象外連続限度枚数と対象外総限度枚数については、必ず、入金リジェクト連続限度枚数及び入金リジェクト総限度枚数より小さい値でないと、更新を許可しないようにした。換言すれば、現金自動預払機１では、対象外紙幣を顧客に返却するまでの時間を短縮できる範囲で、入金リジェクト連続限度枚数、入金リジェクト総限度枚数、対象外連続限度枚数及び対象外総限度枚数の値を変更できるようになっている。
【０１１９】
［３．第３の実施の形態］
次に、第３の実施の形態について説明する。この第３の実施の形態は、第２の実施の形態に、真偽リジェクト紙幣と判定された紙幣の総枚数（真偽リジェクト総枚数）の上限値でなる真偽リジェクト総限度枚数と、走行リジェクト紙幣と判定された紙幣の総枚数（走行リジェクト総枚数）の上限値でなる走行リジェクト総限度枚数と、正損リジェクト紙幣と判定された紙幣の総枚数（正損リジェクト総枚数）の上限値でなる正損リジェクト総限度枚数とを追加で設定するようにした実施の形態である。これら、真偽リジェクト総限度枚数、走行リジェクト総限度枚数、正損リジェクト総限度枚数も、設定情報として、例えば、記憶部１０に記憶されている。現金自動預払機１の構成などについては、第１の実施の形態と同様である為、詳しい説明については第１の実施の形態を参照とする。よって、ここでは、主に入金取引時の動作について説明する。
【０１２０】
尚、現金自動預払機１の鑑別部２１では、偽券を真偽リジェクト紙幣と判定し、入出金部２０の消耗部品が摩耗して分離状態が悪い為にスキューもしくは重送した状態で分離されて搬送される紙幣を走行リジェクト紙幣と判定し、機械の油や食品の油などが付着することで汚れた紙幣を正損リジェクト紙幣と判定するようになっている。
【０１２１】
［３−１．入金取引時の動作］
入金取引時の動作手順について、図１５、図１６に示すフローチャートを用いて詳しく説明する。尚、この動作も、ユニット制御部１２が主体となって行う動作である。尚、図１５、図１６に示す動作手順は、ステップＳＰ７〜ＳＰ１４の処理が、第２の実施の形態の動作手順のステップＳＰ７〜ＳＰ１４の処理とは異なっている。よって、ここでは、主にステップＳＰ７〜ＳＰ１４の処理について説明する。尚、図１５、図１６では、ステップＳＰ１〜ＳＰ６の処理と、ステップＳＰ１４以降の処理については、図３、図４と同一の為、簡略化している。
【０１２２】
ステップＳＰ１〜ＳＰ６の処理で、入出金部２０に紙幣が投入され、ステップＳＰ７で入出金部２０により分離された紙幣が、入金リジェクト紙幣であると判定されると、ユニット制御部１２は、ステップＳＰ２００に移る。ステップＳＰ２００において、ユニット制御部１２は、入金リジェクト連続枚数と入金リジェクト総枚数をカウントする。また入金リジェクト紙幣が対象外紙幣である場合には、対象外連続枚数と対象外総枚数もカウントする。
【０１２３】
さらに、ユニット制御部１２は、入金リジェクト紙幣が真偽リジェクト紙幣である場合には真偽リジェクト総枚数をカウントし、入金リジェクト紙幣が走行リジェクト紙幣である場合には走行リジェクト総枚数をカウントし、入金リジェクト紙幣が正損リジェクト紙幣である場合には正損リジェクト総枚数をカウントする。
【０１２４】
真偽リジェクト総枚数は、入金取引を開始してから、鑑別部２１で真偽リジェクト紙幣と判定された紙幣の総枚数であり、初期値は０とする。ユニット制御部１２は、紙幣が鑑別部２１によって真偽リジェクト紙幣であると判定されるごとに、この真偽リジェクト総枚数をカウント（＋１）する。尚、真偽リジェクト紙幣につづく２枚の紙幣については、正常に鑑別できない場合がある為、カウントするのは、これら３枚の紙幣のうち、先頭の真偽リジェクト紙幣についてのみとする。走行リジェクト総枚数と正損リジェクト総枚数は、それぞれ鑑別部２１で走行リジェクト紙幣又は正損リジェクト紙幣と判定された紙幣の総枚数であり、初期値は０とする。これら走行リジェクト紙幣と正損リジェクト紙幣についても、紙幣が鑑別部２１によって走行リジェクト紙幣又は正損リジェクト紙幣であると判定されるごとに、カウント（＋１）される。
【０１２５】
ユニット制御部１２は、これら入金リジェクト連続枚数、入金リジェクト総枚数、対象外連続枚数、対象外総枚数にくわえて、真偽リジェクト総枚数、走行リジェクト総枚数、正損リジェクト総枚数をカウントすると、次のステップＳＰ２０１に移る。ステップＳＰ２０１において、ユニット制御部１２は、真偽リジェクト総枚数が、真偽リジェクト総枚数の上限として設定されている真偽リジェクト総限度枚数に達したかどうかを判定する。ここで、真偽リジェクト総枚数が、真偽リジェクト総限度枚数に達していないと判定すると、ユニット制御部１２は、ステップＳＰ２０２に移る。
【０１２６】
ステップＳＰ２０２において、ユニット制御部１２は、走行リジェクト総枚数が、走行リジェクト総枚数の上限として設定されている走行リジェクト総限度枚数に達したかどうかを判定する。ここで、走行リジェクト総枚数が、走行リジェクト総限度枚数に達していないと判定すると、ユニット制御部１２は、ステップＳＰ２０３に移る。
【０１２７】
ステップＳＰ２０３において、ユニット制御部１２は、正損リジェクト総枚数が、正損リジェクト総枚数の上限として設定されている正損リジェクト総限度枚数に達したかどうかを判定する。ここで、正損リジェクト総枚数が、正損リジェクト総限度枚数に達していないと判定すると、ユニット制御部１２は、ステップＳＰ９に移る。
【０１２８】
ステップＳＰ９、ＳＰ１０１、ＳＰ１０、ＳＰ１１において、ユニット制御部１２は、対象外連続枚数が、対象外連続限度枚数に達したかどうか、対象外総枚数が対象外総限度枚数に達したかどうか、入金リジェクト連続枚数が入金リジェクト連続限度枚数に達したかどうか、入金リジェクト総枚数が入金リジェクト総限度枚数に達したかどうかを判定し、いずれも達していない場合に、ステップＳＰ１３に移り、見つかった入金リジェクト紙幣と、つづく２枚の紙幣を、入出金部２０へと戻して、ステップＳＰ１４に移る。
【０１２９】
これに対して、上述のステップＳＰ２０１で真偽リジェクト総枚数が真偽リジェクト総限度枚数に達していると判定した場合、ユニット制御部１２は、ステップＳＰ２０４に移り、見つかった真偽リジェクト紙幣と、つづく２枚の紙幣を、入出金部２０へと戻して、次のステップＳＰ２０５に移る。ステップＳＰ２０５においてユニット制御部１２は、図１７（Ａ）に示すガイダンス画面５０を操作表示部６に表示させる。ガイダンス画面５０には、投入された紙幣が取り扱うことのできない紙幣である旨と顧客を窓口へ誘導する旨とを示すメッセージが表示され、さらに、確認ボタン５１が配置されている。ユニット制御部１２は、確認ボタン５１が押下されると、図１７（Ｂ）に示すように、ガイダンス画面５０に、取扱を中止する旨を表示させ、入金取引を終了する。尚、この場合、現金自動預払機１は、続けて取引を行うことはできない状態となる。
【０１３０】
また、上述のステップＳＰ２０２で走行リジェクト総枚数が走行リジェクト総限度枚数に達していると判定した場合、ユニット制御部１２は、ステップＳＰ２０６に移り、見つかった走行リジェクト紙幣と、つづく２枚の紙幣を、入出金部２０へと戻して、次のステップＳＰ２０７に移る。ステップＳＰ２０７においてユニット制御部１２は、図１８に示すガイダンス画面６０を操作表示部６に表示させる。ガイダンス画面６０には、現金自動預払機１の状態が悪く取引を継続できない旨と顧客を他の現金自動預払機１又は窓口へ誘導する旨とを示すメッセージが表示され、さらに、確認ボタン６１が配置されている。ユニット制御部１２は、確認ボタン６１が押下されると、ステップＳＰ１２に移り、リトライ動作の設定を「リトライ有」から「リトライ無」に変更して、ステップＳＰ１４に移る。
【０１３１】
また、上述のステップＳＰ２０３で正損リジェクト総枚数が正損リジェクト総限度枚数に達していると判定した場合、ユニット制御部１２は、ステップＳＰ２０８に移り、見つかった正損リジェクト紙幣と、つづく２枚の紙幣を、入出金部２０へと戻して、次のステップＳＰ２０９に移る。ステップＳＰ２０９においてユニット制御部１２は、図１９に示すガイダンス画面７０を操作表示部６に表示させる。ガイダンス画面７０には、投入された紙幣の状態が悪く現金自動預払機１では取り扱うことができない旨と顧客を窓口へ誘導する旨とを示すメッセージが表示され、さらに確認ボタン７１が配置されている。ユニット制御部１２は、確認ボタン７１が押下されると、ステップＳＰ１２に移り、リトライ動作の設定を「リトライ有」から「リトライ無」に変更して、ステップＳＰ１４に移る。
【０１３２】
また、上述のステップＳＰ９で対象外連続枚数が対象外連続限度枚数に達していると判定した場合と、ステップＳＰ１０１で対象外総枚数が対象外総限度枚数に達していると判定した場合、ユニット制御部１２は、ステップＳＰ２１０に移り、見つかった対象外紙幣と、つづく２枚の紙幣を、入出金部２０へと戻して、次のステップＳＰ２１１に移る。ステップＳＰ２１１においてユニット制御部１２は、図２０に示すガイダンス画面８０を操作表示部６に表示させる。ガイダンス画面８０には、投入された紙幣が現金自動預払機１では取引対象外であり確認するよう促すメッセージと、取扱対象紙幣の画像とが表示され、さらに確認ボタン８１が配置されている。ユニット制御部１２は、確認ボタン８１が押下されると、ステップＳＰ１２に移り、リトライ動作の設定を「リトライ有」から「リトライ無」に変更して、ステップＳＰ１４に移る。
【０１３３】
また、ステップＳＰ１０で入金リジェクト連続枚数が入金リジェクト連続限度枚数に達していると判定した場合と、ステップＳＰ１１で入金リジェクト総枚数が入金リジェクト総限度枚数に達したと判定した場合、ユニット制御部１２は、ステップＳＰ２１２に移り、見つかった入金リジェクト紙幣と、つづく２枚の紙幣を、入出金部２０へと戻して、次のステップＳＰ２１３に移る。この場合、鑑別部２１によって、対象外紙幣、真偽リジェクト紙幣、走行リジェクト紙幣、及び正損リジェクト紙幣以外の入金リジェクト紙幣（例えば紙幣ではない紙など）が多く見つかったことになる。ステップＳＰ２１３においてユニット制御部１２は、図２１に示すガイダンス画面９０を操作表示部６に表示させる。ガイダンス画面９０には、入出金部２０に戻した紙幣を再度確認して投入するよう促すメッセージが表示され、さらに確認ボタン９１が配置されている。ユニット制御部１２は、確認ボタン９１が押下されると、ステップＳＰ１２に移り、リトライ動作の設定を「リトライ有」から「リトライ無」に変更して、ステップＳＰ１４に移る。
【０１３４】
その後、ユニット制御部１２は、ステップＳＰ１４〜ＳＰ２５の処理を実行して、入金取引を終了する。尚、ユニット制御部１２は、ステップＳＰ２０で図７に示す確認画面３０を操作表示部６に表示させるが、上述のステップＳＰ２０２で走行リジェクト総枚数が走行リジェクト総限度枚数に達したと判定した場合と、ステップＳＰ２０３で正損リジェクト総枚数が正損リジェクト総限度枚数に達したと判定した場合には、現金自動預払機１側に問題が発生している可能性が高い為、紙幣を追加投入できないよう、確認画面３０上の追加ボタン３２を非表示にするようになっている。
【０１３５】
第３の実施の形態での入金取引時の動作は、このようになっていて、対象外連続枚数、対象外総枚数、入金リジェクト連続枚数、及び入金リジェクト総枚数にくわえて、真偽リジェクト総枚数、走行リジェクト総枚数、正損リジェクト総枚数をカウントし、これらの何れかが上限枚数に達した場合、これ以降、無駄にリトライ動作を繰り返さないよう、リトライ動作の設定を「リトライ無」に変更して、リトライ動作を終了するようになっている。
【０１３６】
また、第３の実施の形態では、入金取引を終了した理由、もしくは紙幣を返却した理由と、そのときの対応方法とを、顧客に通知する為のガイダンス画面５０、６０、７０、８０、９０を表示することで、例えば、返却された対象外紙幣を何度も入出金部２０に投入したりするような無駄な作業を顧客に行わせることなく、スムーズに入金取引を行うことができるようになっている。
【０１３７】
ところで、上述したように、第３の実施の形態では、入金リジェクト連続限度枚数、入金リジェクト総限度枚数、対象外連続限度枚数及び対象外総限度枚数にくわえて、真偽リジェクト総限度枚数、走行リジェクト総限度枚数及び正損リジェクト総限度枚数が設定されている。さらに、現金自動預払機１では、これら、真偽リジェクト総限度枚数、走行リジェクト総限度枚数及び正損リジェクト総限度枚数が、入金リジェクト連続限度枚数及び入金リジェクト総限度枚数より少ない値に設定されている。具体的には、例えば、入金リジェクト連続限度枚数と入金リジェクト連続限度枚数が共に２０枚、対象外連続限度枚数と対象外総限度枚数がともに５枚、真偽リジェクト総限度枚数が１枚、走行リジェクト総限度枚数及び正損リジェクト総限度枚数がともに５枚に設定されている。
【０１３８】
これにより、現金自動預払機１では、入出金部２０に偽券が投入された際には、直ちに入金取引を終了させることができ、また、走行リジェクト紙幣や正損リジェクト紙幣が発生した場合には、これらの紙幣を顧客に返却するまで待ち時間を、第１及び第２の実施の形態と比べて短縮できるようになっている。
【０１３９】
また、第３の実施の形態の現金自動預払機１でも、入金リジェクト連続限度枚数、入金リジェクト総限度枚数、対象外連続限度枚数、対象外総限度枚数、真偽リジェクト総限度枚数、走行リジェクト総限度枚数及び正損リジェクト総限度枚数を図示しない設定画面上で設定できるようになっている。設定手順については省略するが、真偽リジェクト総限度枚数、走行リジェクト総限度枚数及び正損リジェクト総限度枚数、については、対象外連続限度枚数及び対象外総限度枚数と同様、入金リジェクト連続限度枚数及び入金リジェクト総限度枚数よりも少ない値にしか設定できないようになっている。
【０１４０】
［３−２．まとめと効果］
ここまで説明したように、第３の実施の形態の現金自動預払機１では、入金リジェクト連続限度枚数、入金リジェクト総限度枚数、対象外連続限度枚数及び対象外総限度枚数にくわえて、真偽リジェクト総限度枚数、走行リジェクト総限度枚数及び正損リジェクト総限度枚数を設定するようにした。さらに、これら真偽リジェクト総限度枚数、走行リジェクト総限度枚数及び正損リジェクト総限度枚数を、入金リジェクト総限度枚数及び入金リジェクト連続限度枚数より少ない値に設定するようにした。
【０１４１】
これにより、現金自動預払機１では、入出金部２０に偽券が投入された際には、迅速に入金取引を終了させることができるので、例えば、偽券投入時の待ち時間を短縮できるとともに、何度も偽券の投入が繰り返されて偽券を正常紙幣と誤判定してしまうリスクを回避できる。また、走行リジェクト紙幣が発生した場合には、走行リジェクト紙幣が返却されるまでの待ち時間を短縮できるとともに、何度も走行リジェクト紙幣のリトライを繰り返してジャムが発生してしまうリスクを低減することができる。さらに、正損リジェクト紙幣が発生した場合には、正損リジェクト紙幣が返却されるまでの待ち時間を短縮できるとともに、何度も正損リジェクト紙幣のリトライを繰り返して汚れている正損リジェクト紙幣を正常紙幣と誤判定してしまうリスクを低減することができ、このような汚れている紙幣を、他の顧客に出金してしまうリスクも低減することができる。
【０１４２】
また、第３の実施の形態の現金自動預払機１でも、設定画面（図示せず）を介して、入金リジェクト総限度枚数、入金リジェクト連続限度枚数、対象外連続限度枚数、対象外総限度枚数、真偽リジェクト総限度枚数、走行リジェクト総限度枚数及び正損リジェクト総限度枚数の値を変更できるようになっているが、対象外連続限度枚数、対象外総限度枚数、真偽リジェクト総限度枚数、走行リジェクト総限度枚数及び正損リジェクト総限度枚数については、必ず、入金リジェクト総限度枚数及び入金リジェクト連続限度枚数より小さい値でないと、更新を許可しないようにした。こうすることで、現金自動預払機１では、対象外紙幣投入時の待ち時間、偽券投入時の待ち時間、走行リジェクト紙幣発生時又は正損リジェクト紙幣発生時の待ち時間を従来と比べて短縮できる範囲で、対象外連続限度枚数、対象外総限度枚数、真偽リジェクト総限度枚数、走行リジェクト総限度枚数及び正損リジェクト総限度枚数の値を変更できるようになっている。
【０１４３】
［４．他の実施の形態］
［４−１．他の実施の形態１］
尚、上述した第１の実施の形態では、入金取引を開始してから最初に紙幣が対象外紙幣と判定されたときに対象外連続枚数が１となり、その後、紙幣が対象外紙幣と連続して判定されるごとに対象外連続枚数をカウントする一方で、最初に見つかった対象外紙幣からつづく連続判定が途切れてしまった時点で、対象外連続枚数は確定となり、以降、対象外紙幣が何回連続しても、対象外連続枚数はカウントされないようにした。
【０１４４】
これに限らず、例えば、最初に見つかった対象外紙幣からつづく連続判定が途切れてしまったら、対象外連続枚数を０にリセットして、再び対象外紙幣が見つかったら、対象外連続枚数を再カウントしていくようにしてもよい。入金リジェクト連続枚数も同様に、最初に見つかった入金リジェクト紙幣からつづく連続判定が途切れてしまったら、入金リジェクト連続枚数を０にリセットして、再び入金リジェクト紙幣が見つかったら、入金リジェクト連続枚数を再カウントしていくようにしてもよい。尚、第２、第３の実施の形態の対象外連続枚数及び入金リジェクト連続枚数についても同様である。
【０１４５】
［４−２．他の実施の形態２］
また、上述した第１の実施の形態では、入金リジェクト紙幣が見つかると、この入金リジェクト紙幣と後続の２枚の紙幣の計３枚の紙幣を鑑別部２１の鑑別結果に関わらず入出金部２０に戻すようにした。これに限らず、入金リジェクト紙幣の次の１枚の紙幣については、鑑別部２１により正常紙幣と判定された場合に入出金部２０に戻さず、一時保留部２２に搬送して収納するようにしてもよい。
【０１４６】
第１の実施の形態では、入金リジェクト紙幣を停止させる直前に、後続の２枚の紙幣が、通常の搬送速度より遅い搬送速度で鑑別部２１を通過する状況が想定され、この場合に、これら２枚の紙幣（特に３枚目の紙幣）が正常に鑑別されない可能性がある為、入金リジェクト紙幣だけでなく、後続の２枚の紙幣も入出金部２０へ戻すようにした。しかしながら、搬送速度を落とした際に、入金リジェクト紙幣の次の１枚の紙幣については既に鑑別部２１を通過し終えていると想定できるのであれば、入金リジェクト紙幣の次の紙幣については正常に鑑別されている可能性が高くなる。ゆえに、入金リジェクト紙幣の次の紙幣については、鑑別部２１により正常紙幣と判定された場合に入出金部２０に戻さず一時保留部２２に搬送して収納するようにしてもよい。この場合、入金リジェクト紙幣につづく２枚の紙幣のうち、後の紙幣のみが、鑑別部２１の鑑別結果に関わらず入金リジェクト紙幣とともに入出金部２０に戻されることになる。
【０１４７】
また、第１の実施の形態では、入金リジェクト紙幣につづく２枚の紙幣については、正常に鑑別されない可能性がある為、入金リジェクト連続枚数、入金リジェクト総枚数、対象外連続枚数のカウント対象から外すようにしたが、入金リジェクト紙幣の次の１枚の紙幣については、正常に鑑別されている可能性が高いのであれば、入金リジェクト連続枚数、入金リジェクト総枚数、対象外連続枚数のカウント対象としてもよく、同様に、対象外総枚数、真偽リジェクト総枚数、走行リジェクト総枚数、正損リジェクト総枚数のカウント対象としてもよい。
【０１４８】
［４−３．他の実施の形態３］
さらに、上述した第３の実施の形態では、入金リジェクト連続限度枚数及び入金リジェクト総限度枚数、対象外連続限度枚数及び対象外総限度枚数、真偽リジェクト総限度枚数、走行リジェクト総限度枚数及び正損リジェクト総限度枚数の全てを設定するようにした。これに限らず、これらのうち、任意の限度枚数のみを設定するようにしてもよい。例えば、図示しない設定画面に、これら入金リジェクト連続限度枚数、入金リジェクト総限度枚数、対象外連続限度枚数、対象外総限度枚数、真偽リジェクト総限度枚数、走行リジェクト総限度枚数及び正損リジェクト総限度枚数のそれぞれの数値を入力する入力欄と、各限度枚数をそれぞれ設定／非設定にする為のチェックボックスを設け、チェックボックスによりチェックされた限度枚数のみを設定するようにする。
【０１４９】
尚、少なくとも入金リジェクト総限度枚数が設定されていないと、リトライ動作が繰り返されつづけてしまう状況が起こりうるので、入金リジェクト総限度枚数については、非設定にはできないようにしてもよい。
【０１５０】
また、上述した第３の実施の形態では、真偽リジェクト紙幣の総枚数の上限である真偽リジェクト総限度枚数、走行リジェクト紙幣の総枚数の上限である走行リジェクト総限度枚数、正損リジェクト紙幣の総枚数の上限である正損リジェクト総限度枚数を設定するようにした。これに限らず、真偽リジェクト紙幣の連続枚数の上限である真偽リジェクト連続限度枚数、走行リジェクト紙幣の連続枚数の上限である走行リジェクト連続限度枚数、正損リジェクト紙幣の連続枚数の上限である正損リジェクト連続限度枚数を設定するようにしてもよい。尚、真偽リジェクト連続枚数、走行リジェクト連続枚数及び正損リジェクト連続枚数のカウントの仕方については、対象外連続枚数のそれと同一であり、また、真偽リジェクト連続限度枚数、走行リジェクト連続限度枚数及び正損リジェクト連続限度枚数も、入金リジェクト連続限度枚数及び入金リジェクト総限度枚数より小さい値に設定されるものとする。
【０１５１】
さらに、リジェクト限度枚数としての入金リジェクト連続限度枚数及び入金リジェクト総限度枚数、対象外限度枚数としての対象外連続限度枚数及び対象外総限度枚数、真偽リジェクト限度枚数としての真偽リジェクト総限度枚数及び真偽リジェクト連続限度枚数、走行リジェクト限度枚数としての走行リジェクト総限度枚数及び走行リジェクト連続限度枚数、正損リジェクト限度枚数としての正損リジェクト総限度枚数及び正損リジェクト連続限度枚数のうち、任意の限度枚数のみを設定するようにしてもよい。
【０１５２】
さらに、上述した第３の実施の形態では、対象外連続限度枚数、対象外総限度枚数、真偽リジェクト総限度枚数、走行リジェクト総限度枚数及び正損リジェクト総限度枚数を、それぞれ入金リジェクト連続限度枚数及び入金リジェクト総限度枚数より小さい値に設定するようにした。これに限らず、例えば、対象外連続限度枚数は、入金リジェクト連続限度枚数より小さく、対象外総限度枚数、真偽リジェクト総限度枚数、走行リジェクト総限度枚数及び正損リジェクト総限度枚数は、入金リジェクト総限度枚数より小さくするようにしてもよい。つまり、入金リジェクト総限度枚数より他の総限度枚数が小さく、入金リジェクト連続限度枚数より他の連続限度枚数が小さくなるようにしてもよい。
【０１５３】
［４−４．他の実施の形態４］
さらに、上述した第３の実施の形態では、入金取引を終了した理由、もしくは紙幣を返却した理由と、そのときの対応方法とを、顧客に通知する為のガイダンス画面５０、６０、７０、８０、９０を表示するようにした。これに限らず、これらガイダンス画面５０、６０、７０、８０、９０とともに、これらの表示内容に対応するガイダンス音声を接客部３に設けた図示しないスピーカから出力してもよい。
【０１５４】
［４−５．他の実施の形態５］
さらに、上述した第３の実施の形態では、真偽リジェクト紙幣（つまり偽券）については、顧客に返却することなく、入金取引を終了するようにしたが、これに限らず、真偽リジェクト紙幣を入出金部２０に戻して顧客に返却するようにしてもよい。
【０１５５】
［４−６．他の実施の形態６］
さらに、上述した各実施の形態では、本発明を、リジェクト集積部を兼ねた入出金部２０と、鑑別部２１を有し、搬送部２６に入金リジェクト紙幣と後続の2枚の紙幣を一時的に保留させた後、保留させたこれら３枚の紙幣を入出金部２０に戻して再度分離する構成でなる、自動取引装置としての現金自動預払機１に適用したが、本発明は、これに限らず、リジェクト集積部を兼ねた入出金部と、鑑別部を有し、搬送部に少なくとも入金リジェクト紙幣を一時的に保留させた後、保留させた紙幣を入出金部に戻して再度分離する構成の自動取引装置であれば適用できる。例えば、搬送部に入金リジェクト紙幣のみを一時的に保留させる構成の自動取引装置や、搬送部に入金リジェクト紙幣と後続の３枚以上の紙幣を一時的に保留させる構成の自動取引装置にも適用できる。
【０１５６】
さらに、上述した各実施の形態では、本発明を、紙幣を扱う現金自動預払機１に適用したが、これに限らず、紙、切符など、紙幣以外の媒体を扱う自動取引装置にも適用できる。
【０１５７】
［４−７．他の実施の形態７］
さらに、上述した各実施の形態では、媒体収容部の具体例として入出金部２０を用いたが、これに限らず、媒体を分離して搬送部に繰り出すとともに、搬送部から搬送されてくる媒体を収容できるものであれば入出金部２０とは異なる媒体収容部を用いてもよい。また、上述した各実施の形態では、リジェクト媒体計数部、対象外媒体計数部、真偽リジェクト媒体計数部、走行リジェクト媒体計数部、正損リジェクト媒体計数部の具体例としてユニット制御部１２を用いた。これに限らず、リジェクト媒体、対象外媒体、真偽リジェクト媒体、走行リジェクト媒体及び正損リジェクト媒体の枚数を計数できるものであれば、ユニット制御部１２とは異なるリジェクト媒体計数部、対象外媒体計数部、真偽リジェクト媒体計数部、走行リジェクト媒体計数部、正損リジェクト媒体計数部を用いてもよい。
【０１５８】
さらに、上述した各実施の形態では、制御部の具体例としてユニット制御部１２を用いたが、これに限らず、リジェクト媒体の枚数がリジェクト限度枚数に達した場合、又は対象外媒体の枚数が対象外限度枚数に達した場合に、媒体収容部に収容された媒体の分離及び繰り出しを中止させる制御を行うことができるものであれば、ユニット制御部１２とは異なる制御部を用いてもよい。さらに、上述した各実施の形態では、更新部の具体例としてユニット制御部１２を用いたが、これに限らず、リジェクト限度枚数と対象外限度枚数を、それぞれ入力された数値で更新できるものであれば、ユニット制御部１２とは異なる更新部を用いてもよい。
【０１５９】
［４−８．他の実施の形態８］
さらに、本発明は、上述した各実施の形態に限定されるものではない。すなわち本発明は、上述した第１乃至第３の実施の形態と他の実施の形態の一部または全部を任意に組み合わせた実施の形態や、一部を抽出した実施の形態にもその適用範囲が及ぶものである。
【産業上の利用可能性】
【０１６０】
本発明は、リジェクト集積部を兼ねた入出金部を有する現金自動預払機などで広く利用することができる。
【符号の説明】
【０１６１】
１……現金自動預払機、１２……ユニット制御部、２０……入出金部、２１……鑑別部、２２……一時保留部、２６……搬送部、４０……限度枚数設定画面、５０、６０、７０、８０、９０……ガイダンス画面。
【図１】
0006638258.tif 000002
【図２】
0006638258.tif 000003
【図３】
0006638258.tif 000004
【図４】
0006638258.tif 000005
【図５】
0006638258.tif 000006
【図６】
0006638258.tif 000007
【図７】
0006638258.tif 000008
【図８】
0006638258.tif 000009
【図９】
0006638258.tif 000010
【図１０】
0006638258.tif 000011
【図１１】
0006638258.tif 000012
【図１２】
0006638258.tif 000013
【図１３】
0006638258.tif 000014
【図１４】
0006638258.tif 000015
【図１５】
0006638258.tif 000016
【図１６】
0006638258.tif 000017
【図１７】
0006638258.tif 000018
【図１８】
0006638258.tif 000019
【図１９】
0006638258.tif 000020
【図２０】
0006638258.tif 000021
【図２１】
0006638258.tif 000022